(57)【要約】【課題】段積みに支障を来たすことなく、不使用時に占める空間を減少させて運搬効率や保管効率を向上させ、運搬費用や保管費用の抑制を図ることができる折り畳み可能なネスティングラックを提供する。【解決手段】ネスティングラック１０は、頂部枠体１１、一方の側部枠体１２、他方の側部枠体１３及び背部枠体１４が各々四角枠体で形成され、各四角枠体間が連結されて前部及び底部が開口された四角箱状に構成されている。頂部枠体１１は一方の側部枠体１２に対して連結を解除して他方の側部枠体１３に対して折り畳み可能に構成されている。一方の側部枠体１２は背部枠体１４に折り畳み可能に構成されている。そして、一方の側部枠体１２を背部枠体１４に折り畳んだ状態で他方の側部枠体１３に折り畳み可能に構成されている。【選択図】図１
2011037529.tif 000002
【特許請求の範囲】
【請求項１】
頂部枠体、両側部枠体及び背部枠体が各々四角枠体で形成され、各四角枠体間が連結されて前部及び底部が開口され四角箱状に構成されたネスティングラックであって、
前記頂部枠体又は背部枠体を一方の側部枠体に対して連結を解除して他方の側部枠体に対して折り畳み可能に構成し、一方の側部枠体を該一方の側部枠体に対して連結が解除されなかった背部枠体又は頂部枠体に折り畳み可能に構成すると共に、一方の側部枠体を背部枠体又は頂部枠体に折り畳んだ状態で他方の側部枠体に折り畳み可能に構成することを特徴とする折り畳み可能なネスティングラック。
【請求項２】
前記頂部枠体を一方の側部枠体に対して連結を解除して他方の側部枠体に対して折り畳み可能に構成し、一方の側部枠体を背部枠体に折り畳み可能に構成すると共に、一方の側部枠体を背部枠体に折り畳んだ状態で他方の側部枠体に折り畳み可能に構成することを特徴とする請求項１に記載の折り畳み可能なネスティングラック。
【請求項３】
前記頂部枠体又は背部枠体は他方の側部枠体の内側に収容されるように、長さ及び幅が側部枠体よりも短く設定されていることを特徴とする請求項１又は請求項２に記載の折り畳み可能なネスティングラック。
【請求項４】
前記四角枠体間は、四角筒体中に円筒体が嵌め込まれて回動可能に連結されていることを特徴とする請求項１から請求項３のいずれか１項に記載の折り畳み可能なネスティングラック。
【請求項５】
前記頂部枠体又は背部枠体と一方の側部枠体との間には、一方の側部枠体に対して頂部枠体又は背部枠体の連結を固定又は解除するロック機構を備えることを特徴とする請求項１に記載の折り畳み可能なネスティングラック。
【発明の詳細な説明】
【技術分野】
【０００１】
本発明は、例えば荷役作業用、商品の陳列用、商品の保管用等として使用される折り畳み可能なネスティングラック（ネスティングボックス）に関する。
【背景技術】
【０００２】
一般にネスティングラックは、使用時には上下に複数段積み重ねて（段積み）使用され、不使用時にはネスティング（入れ子）して保管されるようになっている。段積みすることによって収容スペースを拡大し、ネスティングすることによって不使用時におけるスペースを節約することができる。このような段積みやネスティングは、通常フォークリフトを用いて効率良く行われる。
【０００３】
この種のネスティングラックとしては、上端荷受け台と、一対の前側支柱と、一対の後側支柱と、前側を開放した下端フレーム部とを備えた荷役作業用ラックが知られている（例えば、特許文献１を参照）。図１１に示すように、この荷役作業用ラック５１では、前側支柱５２上面に等辺山形部５３が固設され、下端フレーム部５４の両側フレーム５５を等辺山形鋼で構成し、後側支柱５６が上端の荷受け台５７の両側より内側寄りで鉛直に固設されている。両側フレーム５５には前側載置プレート５８及び後側フレーム５９には後側載置プレート６０が立設され、荷受け台５７の後端両側に係止片６１が上向きに突設されている。
【０００４】
そして、ネスティング時には、前側の荷役作業用ラック５１に対して後方から後側の荷役作業用ラック５１の前端開放部を嵌め込むことにより行われる。すなわち、前側の荷役作業用ラック５１下端の両側フレーム５５の等辺山形鋼の真上に後側の荷役作業用ラック５１下端の両側フレーム５５の等辺山形鋼を上下ほぼ平行に配置する。次いで、前側の荷役作業用ラック５１下端の後側フレーム５９の真上に後側の荷役作業用ラック５１下端の後側フレーム５９を上下平行に配置し、下側の荷役作業用ラック５１の後側載置プレート６０上に上側の荷役作業用ラック５１の後側載置プレート６０を配置することにより行われる。
【先行技術文献】
【特許文献】
【０００５】
【特許文献１】特開２００５−２２８０７号公報（第２頁〜第４頁）
【発明の概要】
【発明が解決しようとする課題】
【０００６】
しかしながら、前記従来の特許文献１に記載されている荷役作業用ラック５１においては、ネスティング時に下側の荷役作業用ラック５１の上に上側の荷役作業用ラック５１が積み重ねて載置されている。このため、最下段の荷役作業用ラック５１の形状がそのまま維持されると共に、下側の荷役作業用ラック５１によって形成される空間部Ｓがそのまま残り、さらに積み重ねられる荷役作業用ラック５１が斜め後方へ延びる。従って、荷役作業用ラック５１の不使用時には全体として大きな空間を占めることになり、そのような大きな空間は荷役作業用ラック５１の不使用時における運搬や保管の効率を悪化させ、運搬費用や保管費用の増大を招く。よって、不使用時に占める空間を極力減少させ、運搬効率や保管効率の向上を図ることができるネスティングラックが求められている。
【０００７】
本発明は、このような従来技術に存在する問題点に着目してなされたものであり、その目的とするところは、段積みに支障を来たすことなく、不使用時に占める空間を減少させて運搬効率や保管効率を向上させ、運搬費用や保管費用の抑制を図ることができる折り畳み可能なネスティングラックを提供することにある。
【課題を解決するための手段】
【０００８】
上記の目的を達成するために、請求項１に記載の発明の折り畳み可能なネスティングラックは、頂部枠体、両側部枠体及び背部枠体が各々四角枠体で形成され、各四角枠体間が連結されて前部及び底部が開口され四角箱状に構成されている。そして、前記頂部枠体又は背部枠体を一方の側部枠体に対して連結を解除して他方の側部枠体に対して折り畳み可能に構成し、一方の側部枠体を該一方の側部枠体に対して連結が解除されなかった背部枠体又は頂部枠体に折り畳み可能に構成すると共に、一方の側部枠体を背部枠体又は頂部枠体に折り畳んだ状態で他方の側部枠体に折り畳み可能に構成している。
【０００９】
請求項２に記載の折り畳み可能なネスティングラックは、請求項１に係る発明において、前記頂部枠体を一方の側部枠体に対して連結を解除して他方の側部枠体に対して折り畳み可能に構成し、一方の側部枠体を背部枠体に折り畳み可能に構成すると共に、一方の側部枠体を背部枠体に折り畳んだ状態で他方の側部枠体に折り畳み可能に構成することを特徴とする。
【００１０】
請求項３に記載の折り畳み可能なネスティングラックは、請求項１又は請求項２に記載の発明において、前記頂部枠体又は背部枠体は他方の側部枠体の内側に収容されるように、長さ及び幅が側部枠体よりも短く設定されていることを特徴とする。
【００１１】
請求項４に記載の折り畳み可能なネスティングラックは、請求項１から請求項３のいずれか１項に係る発明において、前記四角枠体間は、四角筒体中に円筒体が嵌め込まれて回動可能に連結されていることを特徴とする。
【００１２】
請求項５に記載の折り畳み可能なネスティングラックは、請求項１に係る発明において、前記頂部枠体又は背部枠体と一方の側部枠体との間には、一方の側部枠体に対して頂部枠体又は背部枠体の連結を固定又は解除するロック機構を備えることを特徴とする。
【発明の効果】
【００１３】
本発明によれば、次のような効果を発揮することができる。
請求項１に係る発明のネスティングラックにおいては、頂部枠体又は背部枠体は一方の側部枠体に対して連結を解除して他方の側部枠体に対して折り畳み可能に構成され、一方の側部枠体は該一方の側部枠体に対して連結が解除されなかった背部枠体又は頂部枠体に折り畳み可能に構成されている。そして、一方の側部枠体は背部枠体又は頂部枠体に折り畳まれた状態で他方の側部枠体に折り畳み可能になっている。
【００１４】
このため、ネスティングラックの不使用時には、頂部枠体又は背部枠体のいずれかが一方の側部枠体に対して連結が解除された後、他方の側部枠体に対して折り畳まれる。続いて、一方の側部枠体が該一方の側部枠体に対して連結が解除されなかった背部枠体又は頂部枠体に対して折り畳まれる。その後、一方の側部枠体は背部枠体又は頂部枠体に折り畳まれた状態で他方の側部枠体に折り畳まれる。このようにして、頂部枠体、背部枠体及び一方の側部枠体が他方の側部枠体に折り畳まれ、板状に形成される。
【００１５】
従って、本発明の折り畳み可能なネスティングラックによれば、段積みに支障を来たすことなく、不使用時に占める空間を減少させて運搬効率や保管効率を向上させ、運搬費用や保管費用の抑制を図ることができる。
【図面の簡単な説明】
【００１６】
【図１】実施形態におけるネスティングラックを示す斜視図。
【図２】他方の側部枠体を示す図であって、（ａ）は側部枠体の平面図、（ｂ）は側部枠体の正面図、（ｃ）は側部枠体の右側面図及び（ｄ）は背部枠体との連結部を示す部分平面図。
【図３】一方の側部枠体を示す図であって、（ａ）は側部枠体の平面図、（ｂ）は側部枠体の正面図及び（ｃ）は側部枠体の右側面図。
【図４】（ａ）は背部枠体と他方の側部枠体との連結状態を示す正面側から見た断面図及び（ｂ）は連結部を示す部分正面図。
【図５】ロック機構を示す図であって、（ａ）はロック機構を固定した状態を示す斜視図及び（ｂ）はロック機構を解除した状態を示す斜視図。
【図６】ロック機構を構成するロック部材を示す斜視図。
【図７】ネスティングラックの作用を示す図であって、頂部枠体のロックを解除した状態を示す斜視図。
【図８】ネスティングラックの作用を示す図であって、図７の状態から頂部枠体を他方の側部枠体側へ回動させた状態を示す斜視図。
【図９】ネスティングラックの作用を示す図であって、図８の状態の後、一方の側部枠体を背部枠体に折り畳んだ状態を示す斜視図。
【図１０】ネスティングラックの作用を示す図であって、図９の状態の後、背部枠体を他方の側部枠体に折り畳んだ状態を示す斜視図。
【図１１】従来の荷役作業用ラックをネスティングした状態を示す斜視図。
【発明を実施するための形態】
【００１７】
以下、本発明の実施形態を図面に基づいて詳細に説明する。
図１に示すように、ネスティングラック１０は、頂部枠体１１、一方の側部枠体１２（図１の左側の側部枠体）、他方の側部枠体１３及び背部枠体１４が各々四角枠体で形成され、各四角枠体間が連結され、前部（図１の左手前部）及び底部が開口された四角箱状に構成されている。両側部枠体１２，１３は、それぞれ上下方向の長さが前後方向の長さよりも長い矩形枠体状に形成されている。頂部枠体１１は左右方向の長さが前後方向の長さより長い矩形格子状に形成されると共に、前後方向の長さが側部枠体１２，１３の前後方向の長さより短く設定され、左右方向の長さが側部枠体１２，１３の上下方向の長さより短く設定されている。そして、頂部枠体１１を他方の側部枠体１３へ折り畳んだとき頂部枠体１１が側部枠体１３の内側へ収容されるように構成されている。背部枠体１４は左右方向の長さが上下方向の長さより長い矩形枠体状に形成され、中間部に上下に延びる３本の補強材１５が架設されて構成されている。
【００１８】
図３（ａ）〜（ｃ）に示すように、一方の側部枠体１２を構成する前後両垂直枠１６ａ，１６ｂ、上下両水平枠１７ａ，１７ｂはそれぞれ正四角筒体により構成されている。後部位置の垂直枠１６ｂは上下両端部にのみ設けられて支承枠１８を形成し、それら支承枠１８の間に背部枠体１４の垂直枠１９を構成する正四角筒体が配置され、該正四角筒体内の円筒体２０が両端部の支承枠１８内に嵌め込まれ、一方の側部枠体１２が背部枠体１４に対して回動され折り畳み可能に構成されている。上部位置の水平枠１７ａの両端部上には側部枠体１２を構成する正四角筒体よりなる一対の係止枠２１ａ，２１ｂが固着されている。そして、図１に示すように、上部位置の水平枠１７ａ上において、両係止枠２１ａ，２１ｂ間に頂部枠体１１の先端枠２２（一方の側部枠体１２側端部の枠）が介在されるようになっている。なお、両係止枠２１ａ，２１ｂ上には形状の異なる段積み用のガイド突起３０がそれぞれ上方へ突設されている。
【００１９】
図２（ａ）〜（ｃ）に示すように、他方の側部枠体１３を構成する前後両垂直枠２３ａ，２３ｂ及び上下両水平枠２４ａ，２４ｂは正四角筒体により構成されている。上部位置の水平枠２４ａは前後両端部にのみ設けられて支持枠２５を形成し、それら支持枠２５の間に頂部枠体１１の基端枠２６を構成する正四角筒体が配置され、該正四角筒体内の円筒体２７が両端部の支持枠２５内に嵌め込まれ、頂部枠体１１が他方の側部枠体１３に対して回動され折り畳み可能に構成されている。図２（ｃ）及び（ｄ）に示すように、他方の側部枠体１３を構成する後部位置の垂直枠２３ｂには保持部として上下各一対の保持板２８が背部枠体１４側へ突出形成され、各保持板２８にはボルト挿通孔２９が透設されている。なお、両支持枠２５上には形状の異なる段積み用のガイド突起３０がそれぞれ上方へ突設されている。
【００２０】
図４（ａ）及び（ｂ）に示すように、背部枠体１４の高さは前述の両側部枠体１２，１３の高さより低く（幅狭に）形成されている。背部枠体１４の上下に位置する水平枠３１ａ，３１ｂの他方の側部枠体１３側の端部には垂直方向に貫通するボルト貫通孔３２が透設されている。それら水平枠３１ａ，３１ｂが前記他方の側部枠体１３の上下各一対の保持板２８間に挿入され、その状態でボルト挿通孔２９及びボルト貫通孔３２にボルト３３が挿通され、スプリングワッシャ３４を介してボルト３３の先端にナット３５が螺合されている。そして、背部枠体１４が該ボルト３３を回動軸として他方の側部枠体１３に対して回動され折り畳み可能に構成されている。これらボルト３３、ナット３５、ボルト挿通孔２９、ボルト貫通孔３２等により回動連結部が構成されている。回動軸としてのボルト３３は垂直枠２３ｂから所定距離（背部枠体１４の厚みにほぼ相当する距離）だけ離れた位置に設けられているため、一方の側部枠体１２を背部枠体１４に折り畳んだ状態でボルト３３を中心にして他方の側部枠体１３に折り畳んだとき、折り畳み後の厚みを薄くすることができる。
【００２１】
図５（ａ）及び（ｂ）に示すように、頂部枠体１１を構成する前記先端枠２２と、一方の側部枠体１２を構成する水平枠１７ａ上の係止枠２１ａ，２１ｂとの間には、一方の側部枠体１２に対して頂部枠体１１の連結を固定又は解除するロック機構３６が設けられている。図６に示すように、ロック機構３６を構成するロック部材３７は細長四角箱状をなす本体部３８を有し、その本体部３８の側壁３８ａには操作摘み３９が六角ボルトにより突出形成されている。本体部３８の前部には左右一対の断面Ｕ字状をなす係合溝４０を介してロック部材３７としての案内部４１が断面凹状に突設されている。前記一対の係合溝４０には両端に操作円盤４３を有するロックバー４４が嵌め込まれている。前記案内部４１の両側壁４１ａには前端ほど低くなるように傾斜する一対の傾斜面４５が形成されている。
【００２２】
図５（ａ）及び（ｂ）に示すように、上記のロック機構３６の本体部３８及び案内部４１は頂部枠体１１の先端枠２２及び側部枠体１２の係止枠２１ａ，２１ｂ内に納められ、先端枠２２及び係止枠２１ａ，２１ｂ内を前後に摺動するようになっている。ロック機構３６の操作摘み３９は頂部枠体１１の先端枠２２に形成された横長孔４６に挿通され、ロックバー４４は係止枠２１ａ，２１ｂに形成された縦長孔４７に操作円盤４３が係止枠２１ａ，２１ｂ外に位置するように挿通されている。このロック機構３６は、図１に示すように頂部枠体１１の先端枠２２の両端に一対設けられている。
【００２３】
そして、図５（ａ）に示す状態では本体部３８及び案内部４１が先端枠２２及び係止枠２１ａ，２１ｂ内に位置しているため、一方の側部枠体１２に対して頂部枠体１１が固定されたロック状態となっている。一方、図５（ｂ）に示すように、ロックバー４４を上方に持ち上げて係合溝４０から抜け出すようにした後（図６の二点鎖線）、操作摘み３９を後方へ移動させることにより、本体部３８及び案内部４１が係止枠２１ａ，２１ｂ内から先端枠２２へ退避される。この状態は、一方の側部枠体１２に対する頂部枠体１１の連結が解除された非ロック状態となっている。
【００２４】
なお、図１に示すように、前記一方の側部枠体１２の係止枠２１ａ，２１ｂ上に設けられたガイド突起３０と、他方の側部枠体１３の支持枠２５上に設けられたガイド突起３０とにより、ネスティングラック１０上に図示しないさらに別のネスティングラック１０を所定位置に載置し、段積みすることができるようになっている。
【００２５】
以上のように構成されたネスティングラック１０について作用を説明する。
さて、図１に示す状態において、図５（ｂ）に示すように、ロック機構３６の操作円盤４３を指で摘んで持ち上げ、ロックバー４４が係合溝４０から抜け出すようにして案内部４１との係合を解除し、その状態で操作摘み３９を後方へ移動操作する。この操作を前後一対のロック機構３６について行う。すると、本体部３８及び案内部４１は係止枠２１ａ，２１ｂ内から先端枠２２内へと退避され、頂部枠体１１が一方の側部枠体１２から離間して回動可能となる。従って、図７に示すように、頂部枠体１１の先端枠２２を持ち上げ、基端枠２６中の円筒体２７を中心にして上方へ回動させる。さらに、図８に示すように、頂部枠体１１をその基端枠２６内の円筒体２７を中心にして図８の時計方向へ回動させる。
【００２６】
そして、図９に示すように、頂部枠体１１を他方の側部枠体１３の内側に収めた後、一方の側部枠体１２をその後部の垂直枠１９内の円筒体２０を中心にして図９の時計方向へ回動させ、背部枠体１４の背面に折り畳む。最後に、図１０に示すように、背部枠体１４を一方の側部枠体１２と共にボルト３３を中心として図１０の反時計方向に回動させ、他方の側部枠体１３に折り畳んで重ね合わせる。この場合、前記ボルト３３は垂直枠２３ｂから一定距離だけ離れた位置に配設されているため、一方の側部枠体１２を背部枠体１４に折り畳んだ状態でボルト３３を中心にして他方の側部枠体１３に折り畳んだとき、背部枠体１４は他方の側部枠体１３にほぼ平行に配置される。このようにして、ネスティングラック１０は折り畳まれて板状に形成される。この折り畳まれた状態でネスティングラック１０は、トラックに積んで輸送され、また倉庫に保管される。
【００２７】
折り畳まれたネスティングラック１０を展開する場合には前記と逆の操作で行われる。すなわち、図１０に示す状態で、背部枠体１４を一方の側部枠体１２と共にボルト３３を中心として図１０の時計方向に回動させ、図９に示す状態にする。この状態で、一方の側部枠体１２を背部枠体１４の垂直枠１９の円筒体２０を中心にして図９の反時計方向に回動させ、図８に示す状態とする。その状態で、頂部枠体１１をその基端枠２６内の円筒体２７を中心にして図８の反時計方向に回動させ、図７に示す状態を経て頂部枠体１１の先端枠２２を一方の側部枠体１２の水平枠１７ａ上に載せる。その状態で、頂部枠体１１の先端枠２２両端部に設けられているロック機構３６の操作摘み３９をそれぞれ外方へ移動操作する。このとき、図６に示すように、案内部４１の傾斜面４５が係止枠２１ａ，２１ｂの縦長孔４７に係合されているロックバー４４に当たり、そのロックバー４４を押し上げながら外方へ移動し、図６の二点鎖線に示すようにロックバー４４が係合溝４０の上方位置に達したとき係合溝４０内へ落ち込んで係合され、ロック機構３６がロック状態に戻る。
【００２８】
以上の実施形態により発揮される効果について、以下にまとめて説明する。
(1)  本実施形態のネスティングラック１０では、頂部枠体１１は一方の側部枠体１２に対して連結を解除して他方の側部枠体１３に対して折り畳み可能に構成され、一方の側部枠体１２は該一方の側部枠体１２に対して連結が解除されなかった背部枠体１４に折り畳み可能に構成されている。さらに、一方の側部枠体１２は背部枠体１４に折り畳まれた状態で他方の側部枠体１３に折り畳み可能に構成されている。
【００２９】
このため、ネスティングラック１０の不使用時には、頂部枠体１１が一方の側部枠体１２に対して連結が解除された後、他方の側部枠体１３に対して折り畳まれる。続いて、一方の側部枠体１２が背部枠体１４に対して折り畳まれる。その後、一方の側部枠体１２は背部枠体１４に折り畳まれた状態で他方の側部枠体１３に折り畳まれる。このようにして、頂部枠体１１、背部枠体１４及び一方の側部枠体１２が他方の側部枠体１３に簡単な操作で折り畳まれ、容易に板状に形成される。このように折り畳まれたネスティングラック１０は、展開状態のネスティングラック１０の内側に形成される空間部に例えば７つ入る大きさ、すなわち空間部を１／７に減少させることができる。
【００３０】
従って、本実施形態のネスティングラック１０によれば、段積みに支障を来たすことなく、不使用時における空間を減少させて運搬効率や保管効率を向上させ、運搬費用や保管費用の抑制を図ることができる。また、運搬作業、保管作業等の作業における取扱性が良く、作業を容易かつ速やかに行うことができる。さらに、ネスティングラック１０の折り畳み及び展開に際して工具を用いることなく、作業を簡単かつ迅速に行うことができる。
【００３１】
(2)  頂部枠体１１は他方の側部枠体１３の内側に収容されるように、長さ及び幅が側部枠体１３よりも短く設定されていることにより、ネスティングラック１０を折り畳んだとき頂部枠体１１が他方の側部枠体１３の内側に納められ、コンパクトにできて余分な空間を減少させることができる。
【００３２】
(3)  頂部枠体１１の基端枠２６と他方の側部枠体１３の円筒体２７との間及び一方の側部枠体１２を構成する後部位置の垂直枠１６ｂと背部枠体１４の先端の円筒体２０との間は、四角筒体中に円筒体２０，２７が嵌め込まれて回動可能に連結されている。このため、簡単な構成でネスティングラック１０の折り畳み操作を円滑に行うことができる。
【００３３】
(4)  頂部枠体１１の先端枠２２と一方の側部枠体１２の係止枠２１ａ，２１ｂとの間には、一方の側部枠体１２に対して頂部枠体１１の連結を固定又は解除するロック機構３６が設けられている。このため、ネスティングラック１０の使用時にはロック機構３６を固定して頂部枠体１１を一方の側部枠体１２に対し連結固定でき、不使用時にはロック機構３６を解除して頂部枠体１１を他方の側部枠体１３に容易に折り畳むことができる。
【００３４】
(5)  前記ロック機構３６は、頂部枠体１１の両端部と一方の側部枠体１２の両係止枠２１ａ，２１ｂとの間に一対設けられていることから、頂部枠体１１と一方の側部枠体１２との間の連結を強固にすることができると共に、両者間のがたつきを防止することができる。
【００３５】
(6)  前記一方の側部枠体１２の上部には、水平枠１７ａ上に前後一対の係止枠２１ａ，２１ｂが設けられ、両係止枠２１ａ，２１ｂ間に頂部枠体１１の先端枠２２が介在されるようになっている。このため、頂部枠体１１と一方の側部枠体１２とを連結する場合には、側部枠体１２の水平枠１７ａ上に頂部枠体１１の先端枠２２を載せ、その状態でロック機構３６を作動させればよく、連結を簡単に行うことができる。
【００３６】
なお、前記実施形態を次のように変更して具体化することも可能である。
・  背部枠体１４を一方の側部枠体１２に対して連結を解除して他方の側部枠体１３に対して折り畳み可能に構成し、一方の側部枠体１２を該一方の側部枠体１２に対して連結が解除されなかった頂部枠体１１に折り畳み可能に構成することができる。この場合、背部枠体１４と一方の側部枠体１２との間にはロック機構３６を設ける。このように構成した場合、一方の側部枠体１２を頂部枠体１１に折り畳んだ状態で他方の側部枠体１３に折り畳むことができる。
【００３７】
・  前記ロック機構３６としては、頂部枠体１１の先端枠２２と一方の側部枠体１２のいずれかの係止枠２１ａ，２１ｂとの間に１箇所のみ設けることもできる。
・  前記ロック機構３６として、例えば係合溝４０、ロックバー４４、縦長孔４７等を省略し、横長孔４６の外端部に下方へ延びる連通孔を設けると共に、ロック部材３７を先端枠２２及び係止枠２１ａ，２１ｂ内で回転可能に構成することもできる。そして、ロック部材３７の案内部４１が係止枠２１ａ，２１ｂ内に挿入された状態で操作摘み３９を回動させて横長孔４６からその連通孔に入るようにしてロック状態にする。この場合、ロック機構３６の構成を簡単にすることができる。
【００３８】
次に、前記実施形態から把握できる技術的思想について以下に記載する。
・  前記他方の側部枠体には、背部枠体側へ突出する保持部を設け、該保持部と背部枠体との間に回動連結部を備えることを特徴とする請求項２から請求項５のいずれか１項に記載のネスティングラック。このように構成した場合、請求項２から請求項５のいずれかに係る発明の効果に加えて、一方の側部枠体を背部枠体に折り畳んだ状態で他方の側部枠体に折り畳んだ後の厚みを薄くすることができる。
【００３９】
・  前記一方の側部枠体の上部には水平枠１７ａを設け、該水平枠１７ａの両端部上には一対の係止枠を配設し、両係止枠間に頂部枠体の先端枠が介在されるように構成することを特徴とする請求項２から請求項５のいずれか１項に記載のネスティングラック。このように構成した場合、請求項２から請求項５のいずれかに係る発明の効果に加えて、頂部枠体と一方の側部枠体とを連結する際に、側部枠体の水平枠上に頂部枠体の先端枠を載せればよく、連結操作を容易に行うことができる。
【符号の説明】
【００４０】
１０…ネスティングラック、１１…頂部枠体、１２…一方の側部枠体、１３…他方の側部枠体、１４…背部枠体、２０、２７…円筒体、３６…ロック機構。
【図１】
2011037529.tif 000003
【図２】
2011037529.tif 000004
【図３】
2011037529.tif 000005
【図４】
2011037529.tif 000006
【図５】
2011037529.tif 000007
【図６】
2011037529.tif 000008
【図７】
2011037529.tif 000009
【図８】
2011037529.tif 000010
【図９】
2011037529.tif 000011
【図１０】
2011037529.tif 000012
【図１１】
2011037529.tif 000013